(57)【要約】      （修正有）【課題】大量の厨芥が投入されてもディスポーザの処理室等への給水不足が発生せず、効率的に厨芥を粉砕し、配管の詰まりを防いで粉砕された厨芥をポンプで確実に搬送することができ、厨芥処理の確実性、信頼性に優れ、バキュームブレーカー等を用いずにディスポーザや下流の配管から給水側への汚水の逆流を防いで構成を簡素化することができ、省スペース性、設置自在性、メンテナンス性に優れる厨芥処理装置を提供する。【解決手段】ディスポーザ１０と、ディスポーザ１０で生成された厨芥スラリーを下流側の排水処理装置に移送するポンプ２０と、を備えた厨芥処理装置１であって、ディスポーザ１０の投入口１０ａと接続される厨芥投入口３ａが形成されたシンク部３と、シンク部３と仕切を挟んで連設された補助シンク部５と、補助シンク部５の底部５ａとディスポーザ１０の処理室１１との間に接続された予備給水管６と、シンク部３に給水する給水部７と、を備える。【選択図】図１
0003209879.tif 000002
【実用新案登録請求の範囲】
【請求項１】
厨芥を粉砕するディスポーザと、前記ディスポーザから排出される厨芥スラリーを下流側の排水処理装置に移送するポンプと、を備えた厨芥処理装置であって、
前記ディスポーザの投入口と接続される厨芥投入口が形成されたシンク部と、前記シンク部と仕切を挟んで連設された補助シンク部と、一端が前記補助シンク部の底部に接続され他端が（ａ）前記ディスポーザの処理室に接続された予備給水管又は（ｂ）前記ディスポーザの排出口と前記ポンプを連結する排出管に接続された予備給水管と、前記シンク部に給水する給水部と、を備えたことを特徴とする厨芥処理装置。
【請求項２】
前記仕切の高さよりも高い位置で前記シンク部及び／又は前記補助シンク部に形成されたオーバーフロー排水部を備えたことを特徴とする請求項１に記載の厨芥処理装置。
【請求項３】
前記補助シンク部に給水する補助給水部を備えたことを特徴とする請求項１又は２に記載の厨芥処理装置。
【請求項４】
厨芥を粉砕するディスポーザと、前記ディスポーザから排出される厨芥スラリーを下流側の排水処理装置に移送するポンプと、を備えた厨芥処理装置であって、
前記ディスポーザの投入口と接続される厨芥投入口が形成されたシンク部と、前記シンク部と独立して形成された補助シンク部と、一端が前記補助シンク部の底部に接続され他端が（ａ）前記ディスポーザの処理室に接続された予備給水管又は（ｂ）前記ディスポーザの排出口と前記ポンプを連結する排出管に接続された予備給水管と、前記シンク部に給水する給水部と、前記補助シンク部に給水する補助給水部と、を備えたことを特徴とする厨芥処理装置。
【請求項５】
前記シンク部及び前記補助シンク部に形成されたオーバーフロー排水部を備えたことを特徴とする請求項４に記載の厨芥処理装置。
【請求項６】
前記予備給水管の他端が、前記ディスポーザの前記処理室の下部で前記排出口と対向する位置に接続されたことを特徴とする請求項１乃至５の内いずれか１項に記載の厨芥処理装置。
【考案の詳細な説明】
【技術分野】
【０００１】
本考案は、給食センターや病院、各種施設の食堂などで使用される厨芥処理装置に関する。
【背景技術】
【０００２】
従来、給食センターや病院等では、厨芥に水を加えて粉砕し、厨芥を含有するスラリー（以下、厨芥スラリーという）を生成するディスポーザが使用されている。そして、ディスポーザから排出される厨芥スラリーは、ポンプにより移送され、排水管を通して屋外などに設置された浄化槽や固液分離装置などの排水処理装置に送り込まれる。
従って、ディスポーザで厨芥を粉砕し易くすると共に、粉砕された厨芥をポンプで圧送して移送するためには一定の給水が必要となる。しかし、ディスポーザでは一度に処理できる厨芥の量が決まっているため、一度に大量の厨芥が投入されると、厨芥投入口が厨芥で塞がれて給水不足となり、厨芥の粉砕及び粉砕された厨芥の搬送が行われず、配管の詰まりが発生しまう。そこで、ディスポーザの処理室（粉砕室）等に直接、予備給水を行うことがある。この場合、給水管を処理室等に接続することになるため、給水中に断水が発生し、給水管内が負圧になった際には、処理室内等に溜まった汚水が給水管に逆流するという問題点があった。
この問題点を解決するものとして、（特許文献１）には、生ごみ処理機の水供給口を生ごみ投入口と独立して設け、生ごみ処理機の給水側に逆流防止機構を設けた厨芥粉砕処理装置が開示されている。
【先行技術文献】
【特許文献】
【０００３】
【特許文献１】特開２０００−５６２０号公報
【考案の開示】
【考案が解決しようとする課題】
【０００４】
しかし、上記従来の技術においては、以下のような課題を有していた。
（１）（特許文献１）には逆流防止機構としてバキュームブレーカーを用いることが記載されているが、バキュームブレーカーをシンクの上方に突出させて配設しているため、厨芥処理作業の邪魔になり易く、省スペース性、設置自在性、メンテナンス性に欠けるという課題を有していた。
（２）また、排水管の上部に水供給部が形成されているので、水供給部から供給される水が直ちに排水管から排出されてしまい、ディスポーザの処理室に溜まった厨芥を流すことができず不衛生であり、かつ、その除去作業性に欠けるという課題を有していた。
【０００５】
本考案は上記課題を解決するもので、厨芥処理時に大量の厨芥が投入されても、ディスポーザの処理室等に確実に給水することができ、給水不足が発生することがなく、ディスポーザによって効率的に厨芥を粉砕し、配管の詰まりを発生させることなく、粉砕された厨芥をポンプで確実に搬送することができ、厨芥処理の確実性、信頼性に優れると共に、バキュームブレーカー等の逆流防止機構を用いなくても、ディスポーザやその下流の配管から給水側へ汚水が逆流することがなく、構成を簡素化することができ、省スペース性、設置自在性、メンテナンス性に優れる厨芥処理装置の提供を目的とする。
【課題を解決するための手段及びそれによって得られる作用、効果】
【０００６】
上記従来の課題を解決するために本考案の厨芥処理装置は、以下の構成を有している。
本考案の請求項１に記載の厨芥処理装置は、厨芥を粉砕するディスポーザと、前記ディスポーザから排出される厨芥スラリーを下流側の排水処理装置に移送するポンプと、を備えた厨芥処理装置であって、前記ディスポーザの投入口と接続される厨芥投入口が形成されたシンク部と、前記シンク部と仕切を挟んで連設された補助シンク部と、一端が前記補助シンク部の底部に接続され他端が（ａ）前記ディスポーザの処理室に接続された予備給水管又は（ｂ）前記ディスポーザの排出口と前記ポンプを連結する排出管に接続された予備給水管と、前記シンク部に給水する給水部と、を備えた構成を有している。
この構成により、以下のような作用、効果が得られる。
（１）ディスポーザの投入口と接続される厨芥投入口が形成されたシンク部と、シンク部と仕切を挟んで連設された補助シンク部と、一端が補助シンク部の底部に接続され他端がディスポーザの処理室に接続された予備給水管と、シンク部に給水する給水部と、を有する場合、ディスポーザの駆動中に厨芥投入口が厨芥で塞がれ、シンク部からディスポーザへ十分な給水が行われなくなり、シンク部の水位が上昇した際に、仕切を超えた水が補助シンク部に流れ込み、補助シンク部からディスポーザの処理室へ直接、給水することができ、給水不足が発生することがなく、ディスポーザによって効率的に厨芥を粉砕し、排出管等の配管の詰まりを発生させることなく、粉砕された厨芥をポンプで確実に搬送することができ、厨芥処理の確実性、信頼性に優れる。
（２）ディスポーザの投入口と接続される厨芥投入口が形成されたシンク部と、シンク部と仕切を挟んで連設された補助シンク部と、一端が補助シンク部の底部に接続され他端がディスポーザの排出口とポンプを連結する排出管に接続された予備給水管と、シンク部に給水する給水部と、を有する場合、ディスポーザの駆動中に厨芥投入口が厨芥で塞がれ、シンク部からディスポーザへ十分な給水が行われなくなり、シンク部の水位が上昇した際に、仕切を超えた水が補助シンク部に流れ込み、補助シンク部からディスポーザの排出口とポンプを連結する排出管へ直接、給水することができ、給水不足による排出管等の配管の詰まりを防止して、粉砕された厨芥をポンプで確実に搬送することができ、厨芥投入口から投入された厨芥をディスポーザによって順次、粉砕、処理することが可能で、厨芥処理の確実性、信頼性に優れる。
（３）補助シンク部がシンク部と仕切を挟んで連設されているので、シンク部に大量の厨芥が投入されても、厨芥が補助シンク部に入り込むのを仕切で遮ることができ、補助シンク部に接続された予備給水管が厨芥で塞がれ難く、給水の安定性に優れる。
（４）予備給水管の一端が補助シンク部の底部に接続されており、補助シンク部に流入した水が予備給水管を自然に流下してディスポーザの処理室又はディスポーザの排出口とポンプを連結する排出管に供給されるので、ディスポーザや排出管から給水側へ汚水が逆流することがなく、バキュームブレーカー等の逆流防止機構を必要とせず、構成を簡素化することができ、省スペース性、設置自在性、作業性、メンテナンス性に優れる。
【０００７】
ここで、補助シンク部は仕切を挟んでシンク部と連設されていればよく、仕切の高さは適宜、選択することができる。シンク部と補助シンク部が仕切を挟んで連設されるので、一体に成形することができ、量産性に優れる。シンク部と補助シンク部は仕切の上方で連通しているので、シンク部の厨芥投入口が厨芥で塞がれる等してシンク部に水が溜まった際に、仕切の高さを超えた水は補助シンク部に流入し、予備給水管を通って、ディスポーザやディスポーザとポンプを連結する排出管に供給され、厨芥の粉砕や厨芥スラリーの搬送に利用される。尚、補助シンク部の形状、大きさ、配置等は適宜、選択することができる。また、補助シンク部の上面にメッシュ板を配設した場合、厨芥が補助シンク部に流入することがなく、予備給水管の詰まりを確実に防止することができ、好ましい。或いは、仕切の少なくとも一部をメッシュ板で形成するか、仕切に連通孔を設け、水だけが通過できるフィルタ等を取り付けることにより、厨芥が補助シンク部に流入することを防ぎながら、シンク部に溜まった水の一部を補助シンク部に流入させて予備給水管による給水に利用することができる。
【０００８】
予備給水管の他端をディスポーザの処理室に接続する場合、その接続位置は適宜、選択することができるが、処理室の下部（ハンマー部の下流側）に接続することにより、処理室で粉砕された厨芥をディスポーザから効率よく連続的に排出することができ、厨芥投入口から投入される厨芥を連続して安定的に粉砕処理することができる。
また、予備給水管の他端をディスポーザの排出口とポンプを連結する排出管に接続する場合、その接続位置は適宜、選択することができる。
給水部はシンク部に給水できるものであればよく、電磁弁等で開閉を制御してもよいし、水栓等を人手で開閉してもよい。
【０００９】
請求項２に記載の考案は、請求項１に記載の厨芥処理装置であって、前記仕切の高さよりも高い位置で前記シンク部及び／又は前記補助シンク部に形成されたオーバーフロー排水部を備えた構成を有している。
この構成により、請求項１で得られる作用、効果に加え、以下のような作用、効果が得られる。
（１）仕切の高さよりも高い位置でシンク部及び／又は補助シンク部に形成されたオーバーフロー排水部を有するので、ディスポーザの駆動中に厨芥投入口が厨芥で塞がれ、シンク部からディスポーザへ十分な給水が行われなくなり、シンク部の水位が上昇した際には、仕切を超えた水が補助シンク部に流れ込み、補助シンク部からディスポーザ又は排出管へ直接、給水して厨芥の粉砕や粉砕された厨芥の搬送を続けることができると共に、給水部からの給水量が水の消費量を上回り、さらに水位が上昇した場合でも、シンク部及び補助シンク部に溜まった一定水位以上の水をオーバーフロー排水部から確実に排水することができ、水がシンク部又は補助シンク部から周囲に溢れ出すことがなく、取扱い性に優れる。
（２）シンク部及び／又は補助シンク部に形成されたオーバーフロー排水部を有するので、ディスポーザやポンプが停止して、給水部から供給される水が消費されなくなった場合でも、シンク部及び補助シンク部に溜まった一定水位以上の水をオーバーフロー排水部から確実に排水することができ、水がシンク部又は補助シンク部から周囲に溢れ出すことがなく、取扱い性に優れる。
【００１０】
ここで、シンク部と補助シンク部は仕切で仕切られているが、上面が開口しており、仕切よりも上方で連通しているので、シンク部又は補助シンク部の少なくともいずれか一方の周壁面の仕切の高さよりも高い位置にオーバーフロー排水部を設けることにより、シンク部及び補助シンク部の水位がオーバーフロー排水部の高さ以上になることを防止できる。尚、オーバーフロー排水部から排出された水は、他の排水と一緒に公共下水道に排出される。このとき、オーバーフロー排水部にメッシュやフィルタ等を設けることにより、厨芥の排出を防止できる。
【００１１】
請求項３に記載の考案は、請求項１又は２に記載の厨芥処理装置であって、前記補助シンク部に給水する補助給水部を備えた構成を有している。
この構成により、請求項１又は２で得られる作用、効果に加え、以下のような作用が得られる。
（１）補助シンク部に給水する補助給水部を有するので、必要に応じて、補助シンク部に接続された予備給水管からディスポーザ又は排出管に給水することができ、厨芥の粉砕及び搬送の効率性、確実性に優れる。
（２）補助給水部により、補助シンク部に直接、給水することができるので、厨芥投入口が厨芥で塞がれ、シンク部からディスポーザへ十分な給水が行われなくなった際に、シンク部の水位が仕切の高さまで上昇するのを待つことなく、直ちに予備給水管からディスポーザ又は排出管に給水して、厨芥の粉砕及び搬送を続けることができ、厨芥処理の安定性に優れる。
（３）シンク部と補助シンク部が仕切で仕切られているので、補助給水部から給水される水がシンク部に流出することがなく、確実に補助シンク部に給水することができ、予備給水の確実性に優れる。
【００１２】
ここで、補助給水部は補助シンク部に給水することができればよい。給水源に対し、給水部と補助給水部は、１本の配管で直列に接続してもよいし、２本の配管で並列に接続してもよい。補助給水部は給水部と同様に、電磁弁等で開閉を制御してもよいし、水栓等を人手で開閉してもよい。
【００１３】
本考案の請求項４に記載の厨芥処理装置は、厨芥を粉砕するディスポーザと、前記ディスポーザから排出される厨芥スラリーを下流側の排水処理装置に移送するポンプと、を備えた厨芥処理装置であって、前記ディスポーザの投入口と接続される厨芥投入口が形成されたシンク部と、前記シンク部と独立して形成された補助シンク部と、一端が前記補助シンク部の底部に接続され他端が（ａ）前記ディスポーザの処理室に接続された予備給水管又は（ｂ）前記ディスポーザの排出口と前記ポンプを連結する排出管に接続された予備給水管と、前記シンク部に給水する給水部と、前記補助シンク部に給水する補助給水部と、を備えた構成を有している。
この構成により、以下のような作用、効果が得られる。
（１）ディスポーザの投入口と接続される厨芥投入口が形成されたシンク部と、シンク部と独立して形成された補助シンク部と、一端が補助シンク部の底部に接続され他端がディスポーザの処理室に接続された予備給水管と、シンク部に給水する給水部と、補助シンク部に給水する補助給水部と、を有するので、ディスポーザの駆動中に厨芥投入口が厨芥で塞がれて、シンク部からディスポーザへ十分な給水が行われない場合でも、補助給水部から補助シンク部に供給される水を予備給水管を通してディスポーザの処理室へ直接、給水することができ、給水不足が発生することがなく、ディスポーザによって効率的に厨芥を粉砕し、排出管等の配管の詰まりを発生させることなく、粉砕された厨芥をポンプで確実に搬送することができ、厨芥処理の確実性、信頼性に優れる。
（２）ディスポーザの投入口と接続される厨芥投入口が形成されたシンク部と、シンク部と独立して形成された補助シンク部と、一端が補助シンク部の底部に接続され他端がディスポーザの排出口とポンプを連結する排出管に接続された予備給水管と、シンク部に給水する給水部と、補助シンク部に給水する補助給水部と、を有するので、ディスポーザの駆動中に厨芥投入口が厨芥で塞がれて、シンク部からディスポーザへ十分な給水が行われない場合でも、補助給水部から補助シンク部に供給される水を予備給水管を通してディスポーザの排出口とポンプを連結する排出管へ直接、給水することができ、給水不足による排出管等の配管の詰まりを防止して、粉砕された厨芥をポンプで確実に搬送することができ、厨芥投入口から投入された厨芥をディスポーザによって順次、粉砕、処理することが可能で、厨芥処理の確実性、信頼性に優れる。
（３）補助シンク部がシンク部と独立して形成されているので、シンク部に大量の厨芥が投入されても、補助シンク部に厨芥が入り込むことがなく、補助シンク部に接続された予備給水管から確実に給水を行うことができ、給水の確実性に優れる。
（４）予備給水管の一端が補助シンク部の底部に接続されており、補助給水部から補助シンク部に給水された水が予備給水管を自然に流下してディスポーザの処理室又はディスポーザの排出口とポンプを連結する排出管に供給されるので、ディスポーザや排出管から給水側へ汚水が逆流することがなく、バキュームブレーカー等の逆流防止機構を必要とせず、構成を簡素化することができ、省スペース性、設置自在性、作業性、メンテナンス性に優れる。
【００１４】
ここで、補助シンク部はシンク部と独立して形成されていればよく、その形状、大きさ、配置等は適宜、選択することができる。
尚、予備給水管及び給水部については、請求項１と同様なので、説明を省略する。また、補助給水部については、請求項３と同様なので、説明を省略する。
【００１５】
請求項５に記載の考案は、請求項４に記載の厨芥処理装置であって、前記シンク部及び前記補助シンク部に形成されたオーバーフロー排水部を備えた構成を有している。
この構成により、請求項４で得られる作用、効果に加え、以下のような作用、効果が得られる。
（１）シンク部及び補助シンク部に形成されたオーバーフロー排水部を有するので、ディスポーザやポンプが停止して、給水部及び補助給水部から供給される水が消費されなくなっても、シンク部及び補助シンク部に溜まった一定水位以上の水をオーバーフロー排水部から確実に排水することができ、水がシンク部及び補助シンク部から周囲に溢れ出すことがなく、取扱い性に優れる。
ここで、オーバーフロー排水部はシンク部及び補助シンク部の周壁面に設ければよく、その他は請求項２と同様なので、説明を省略する。
【００１６】
請求項６に記載の考案は、請求項１乃至５の内いずれか１項に記載の厨芥処理装置であって、前記予備給水管の他端が、前記ディスポーザの前記処理室の下部で前記排出口と対向する位置に接続された構成を有している。
この構成により、請求項１乃至５の内いずれか１項で得られる作用、効果に加え、以下のような作用、効果が得られる。
（１）予備給水管の他端が、ディスポーザの処理室の下部で排出口と対向する位置に接続されているので、予備給水管からディスポーザの処理室に供給された水により、処理室に溜まった厨芥を排出口に移動させて排出することができ、厨芥の粉砕及び搬送の効率性に優れる。
ここで、ディスポーザの処理室の底面を、予備給水管の他端が接続される予備給水口から排出口に向かって低くなるように傾斜させることにより、予備給水管からディスポーザの処理室に供給された水が排出口に向かってスムーズに流れ、処理室に溜まった厨芥を効率的に排出口から排出させることができ、厨芥処理の効率性、安定性を高めることができる。
【図面の簡単な説明】
【００１７】
【図１】実施の形態１の厨芥処理装置を示す要部断面模式正面図
【図２】実施の形態１の厨芥処理装置におけるディスポーザを示す要部断面模式正面図
【図３】実施の形態２の厨芥処理装置を示す要部断面模式正面図
【考案を実施するための最良の形態】
【００１８】
以下、本考案を実施するための最良の形態を、図面を参照しながら説明する。尚、本考案の技術的範囲はこれらの実施の形態に限定されるものではない。
（実施の形態１）
図１は実施の形態１の厨芥処理装置を示す要部断面模式正面図である。
図１中、１は厨芥を粉砕するディスポーザ１０とディスポーザ１０から排出される厨芥スラリーを下流側の排水処理装置（図示せず）に移送するポンプ２０を備えた実施の形態１の厨芥処理装置、２はディスポーザ１０やポンプ２０が内蔵された厨芥処理装置１の筐体、３は筐体２の上部に形成されたシンク部、３ａはシンク部３に形成された厨芥投入口、５は筐体２の上部にシンク部３と仕切４を挟んで連設された補助シンク部、６は一端が補助シンク部５の底部５ａに接続され他端がディスポーザ１０の処理室１１の下部の予備給水口１１ａに接続された予備給水管、７は水道等の給水源３０からシンク部３に給水する給水部、７ａはシンク部３の一側部に形成された給水部７の吐水口、７ｂは給水源３０と吐水口７ａを接続する給水配管、７ｃは仕切４の高さよりも高い位置でシンク部３に形成されたオーバーフロー排水部、８は水道等の給水源３０から補助シンク部５に給水する補助給水部、８ａは補助シンク部５の一側部に形成された補助給水部８の吐水口、８ｂは給水配管７ｂから分岐して吐水口８ａに接続された補助給水配管、９ａは給水配管７ｂと補助給水配管８ｂの分岐部の上流側に配設された電磁弁、９ｂは電磁弁９ａの上流側に配設された止水弁、１０ａはシンク部３の厨芥投入口３ａと接続されたディスポーザ１０の投入口、１５はディスポーザ１０の排出口１３とポンプを連結する排出管である。
【００１９】
次に、ディスポーザの内部構造について説明する。
図２は実施の形態１の厨芥処理装置におけるディスポーザを示す要部断面模式正面図である。
図２中、１２はディスポーザ１０の処理室１１に内蔵されたハンマー部、１４は処理室１１の下部（ハンマー部１２の下流側）に対向して配置された予備給水口１１ａから排出口１３に向かって低くなるように傾斜して形成された処理室１１の底面である。
【００２０】
以上のように構成された実施の形態１の厨芥処理装置の動作について説明する。
図１において、シンク部３の厨芥投入口３ａからディスポーザ１０へ投入された厨芥は、給水部７の吐水口７ａから供給される水が加えられ、処理室１１で粉砕処理されて厨芥スラリーとして排出口１３からポンプ２０に送られる。
このとき、補助シンク部５や補助給水部８を備えていなければ、シンク部３に多量の厨芥が投入され、厨芥投入口３ａが厨芥で塞がれた際に、シンク部３からディスポーザ１０へ十分な給水が行われなくなり、厨芥の粉砕や搬送が不十分となることがある。
しかし、本実施の形態のように、補助シンク部５とディスポーザ１０の処理室１１が予備給水管６で接続され、補助シンク部５に給水する補助給水部８を備えていることにより、厨芥投入口３ａが厨芥で塞がれているか否かに関わらず、常に補助給水部８から処理室１１に給水することができ、ディスポーザ１０によって効率的に厨芥を粉砕し、排出管１５等の配管の詰まりを発生させることなく、粉砕された厨芥をポンプ２０で確実に下流の浄化槽や固液分離装置（脱水機）等の排水処理装置に搬送して処理を行うことができる。
予備給水管６の他端をディスポーザ１０の処理室１１に接続する場合、その接続位置は適宜、選択することができるが、図２に示したように、処理室１１の下部（ハンマー部１２の下流側）に接続することにより、処理室１１で粉砕された厨芥をディスポーザ１０から効率的に排出することができる。特に、本実施の形態のように、予備給水管６の他端が接続される予備給水口１１ａが排出口１３と対向して配置され、処理室１１の底面１４が予備給水口１１ａから排出口１３に向かって低くなるように傾斜している場合、予備給水管６からディスポーザ１０の処理室１１に供給された水が排出口１３に向かってスムーズに流れ、処理室１１に溜まった厨芥を効率的に排出口から排出させることができ、厨芥処理の効率性、安定性に優れる。尚、予備給水管６の他端をディスポーザ１０の処理室１１に接続する代わりに、ディスポーザ１０の排出口１３とポンプ２０を連結する排出管１５に接続してもよい。
【００２１】
本実施の形態では、補助シンク部５が仕切４を挟んでシンク部３と連設されているので、厨芥投入口３ａが厨芥で塞がれ、シンク部３からディスポーザ１０へ給水が行われなくなった際に、シンク部３の水位が上昇し、仕切４を超えた水が補助シンク部５に流れ込むことによっても、補助シンク部５から予備給水管６を通してディスポーザ１０の処理室１１へ給水することができるので、補助給水部８は省略してもよい。また、補助シンク部５の上面にメッシュ板を配設すると、厨芥が補助シンク部５に流入することがなく、予備給水管６の詰まりを確実に防止することができるので好ましい。尚、補助給水部８を省略し、給水部７からシンク部３に給水される水を予備給水管６による給水に利用する場合は、仕切の少なくとも一部をメッシュ板で形成するか、仕切に連通孔を設け、水だけが通過できるフィルタを取り付けることにより、シンク部３の水位が仕切４を超えるのを待つことなく、シンク部３に溜まった水の一部を補助シンク部５に流入させて予備給水管６に供給しながら、厨芥が補助シンク部５に流入することも防ぐことができる。
【００２２】
また、本実施の形態では、１つの電磁弁９ａで給水部７及び補助給水部８の開閉を制御したが、給水配管７ｂ及び補助給水配管８ｂのそれぞれ電磁弁を設け、給水部７及び補助給水部８の開閉を個別に制御してもよいし、電磁弁の代わりに水栓等を用いて人手で開閉してもよい。
尚、仕切４の高さよりも高い位置で、シンク部３の一側部にオーバーフロー排水部７ｃが形成されているので、給水部７及び補助給水部８からの給水量が水の消費量を上回り、さらに水位が上昇した場合や、ディスポーザ１０やポンプ２０が停止して、給水部７及び補助給水部８から供給される水が消費されなくなった場合でも、シンク部３及び補助シンク部５に溜まった一定水位以上の水をオーバーフロー排水部７ｃから確実に排水することができ、水がシンク部３又は補助シンク部５から周囲に溢れ出すことはない。このとき、オーバーフロー排水部７ｃにメッシュやフィルタ等を設けることにより、厨芥の排出を防止できる。
【００２３】
本考案の実施の形態１における厨芥処理装置によれば、以下のような作用が得られる。
（１）ディスポーザの投入口と接続される厨芥投入口が形成されたシンク部と、シンク部と仕切を挟んで連設された補助シンク部と、一端が補助シンク部の底部に接続され他端がディスポーザの処理室に接続された予備給水管と、シンク部に給水する給水部と、を有する場合、ディスポーザの駆動中に厨芥投入口が厨芥で塞がれ、シンク部からディスポーザへ十分な給水が行われなくなり、シンク部の水位が上昇した際に、仕切を超えた水が補助シンク部に流れ込み、補助シンク部からディスポーザの処理室へ直接、給水することができ、給水不足が発生することがなく、ディスポーザによって効率的に厨芥を粉砕し、排出管等の配管の詰まりを発生させることなく、粉砕された厨芥をポンプで確実に搬送することができ、厨芥処理の確実性、信頼性に優れる。
（２）補助シンク部がシンク部と仕切を挟んで連設されているので、シンク部に大量の厨芥が投入されても、厨芥が補助シンク部に入り込むのを仕切で遮ることができ、補助シンク部に接続された予備給水管が厨芥で塞がれ難く、給水の安定性に優れる。
（３）予備給水管の一端が補助シンク部の底部に接続されており、補助シンク部に流入した水が予備給水管を自然に流下してディスポーザの処理室又はディスポーザの排出口とポンプを連結する排出管に供給されるので、ディスポーザや排出管から給水側へ汚水が逆流することがなく、バキュームブレーカー等の逆流防止機構を必要とせず、構成を簡素化することができ、省スペース性、設置自在性、作業性、メンテナンス性に優れる。
（４）仕切の高さよりも高い位置でシンク部に形成されたオーバーフロー排水部を有するので、ディスポーザの駆動中に厨芥投入口が厨芥で塞がれ、シンク部からディスポーザへ十分な給水が行われなくなり、シンク部の水位が上昇した際には、仕切を超えた水が補助シンク部に流れ込み、補助シンク部からディスポーザ又は排出管へ直接、給水して厨芥の粉砕や粉砕された厨芥の搬送を続けることができると共に、給水部からの給水量が水の消費量を上回り、さらに水位が上昇した場合でも、シンク部及び補助シンク部に溜まった一定水位以上の水をオーバーフロー排水部から確実に排水することができ、水がシンク部又は補助シンク部から周囲に溢れ出すことがなく、取扱い性に優れる。
（５）シンク部に形成されたオーバーフロー排水部を有するので、ディスポーザやポンプが停止して、給水部から供給される水が消費されなくなった場合でも、シンク部及び補助シンク部に溜まった一定水位以上の水をオーバーフロー排水部から確実に排水することができ、水がシンク部又は補助シンク部から周囲に溢れ出すことがなく、取扱い性に優れる。
（６）補助シンク部に給水する補助給水部を有するので、必要に応じて、補助シンク部に接続された予備給水管からディスポーザ又は排出管に給水することができ、厨芥の粉砕及び搬送の効率性、確実性に優れる。
（７）補助給水部により、補助シンク部に直接、給水することができるので、厨芥投入口が厨芥で塞がれ、シンク部からディスポーザへ十分な給水が行われなくなった際に、シンク部の水位が仕切の高さまで上昇するのを待つことなく、直ちに予備給水管からディスポーザ又は排出管に給水して、厨芥の粉砕及び搬送を続けることができ、厨芥処理の安定性に優れる。
（８）シンク部と補助シンク部が仕切で仕切られているので、補助給水部から給水される水がシンク部に流出することがなく、確実に補助シンク部に給水することができ、予備給水の確実性に優れる。
（９）予備給水管の他端が、ディスポーザの処理室の下部で排出口と対向する位置に接続されているので、予備給水管からディスポーザの処理室に供給された水により、処理室に溜まった厨芥を排出口に容易に移動させて排出することができ、厨芥の粉砕及び搬送の効率性に優れ、厨芥屑の滞留を防ぐことができる。
【００２４】
（実施の形態２）
本考案の実施の形態２における厨芥処理装置について説明する。尚、実施の形態１と同様のものには同一の符号を付して説明を省略する。
図３は実施の形態２の厨芥処理装置を示す要部断面模式正面図である。
図３において、実施の形態２の厨芥処理装置１Ａが実施の形態１と異なるのは、補助シンク部５Ａがシンク部３と独立して形成されている点と、一端が補助シンク部５Ａの底部５ａに接続された予備給水管６Ａの他端がディスポーザ１０の排出口１３とポンプ２０を連結する排出管１５に接続されている点と、補助シンク部５Ａにオーバーフロー排水部８ｃが形成されている点である。
【００２５】
補助シンク部５Ａがシンク部３と独立して形成されているが、補助シンク部５Ａに給水する補助給水部８を備えているので、シンク部３の厨芥投入口３ａが厨芥で塞がれているか否かに関わらず、常に補助給水部８から予備給水管６Ａを通して排出管１５に給水することができ、給水不足による排出管１５等の配管の詰まりを防止して、粉砕された厨芥をポンプ２０で確実に下流の浄化槽や固液分離装置（脱水機）等の排水処理装置に搬送して処理しつつ、厨芥投入口３ａから投入された厨芥をディスポーザ１０によって順次、粉砕、処理することができる。尚、本実施の形態では、予備給水管６Ａの他端を排出管１５に接続したが、実施の形態１と同様に、ディスポーザ１０の処理室１１に接続してもよい。
また、シンク部３と独立して形成された補助シンク部５Ａがオーバーフロー排水部８ｃを有するので、ディスポーザ１０やポンプ２０が停止して、補助給水部８から供給される水が消費されなくなっても、補助シンク部５Ａに溜まった一定水位以上の水をオーバーフロー排水部８ｃから確実に排水することができ、水が補助シンク部５Ａから周囲に溢れ出すことがなく、安定性に厨芥の処理を行うことができる。
【００２６】
実施の形態２の厨芥処理装置は、実施の形態１と同様の作用に加え、以下のような作用を有する。
（１）ディスポーザの投入口と接続される厨芥投入口が形成されたシンク部と、シンク部と独立して形成された補助シンク部と、一端が補助シンク部の底部に接続され他端がディスポーザの排出口とポンプを連結する排出管に接続された予備給水管と、シンク部に給水する給水部と、補助シンク部に給水する補助給水部と、を有するので、ディスポーザの駆動中に厨芥投入口が厨芥で塞がれて、シンク部からディスポーザへ十分な給水が行われない場合でも、補助給水部から補助シンク部に供給される水を予備給水管を通してディスポーザの排出口とポンプを連結する排出管へ直接、給水することができ、給水不足による排出管等の配管の詰まりを防止して、粉砕された厨芥をポンプで確実に搬送することができ、厨芥投入口から投入された厨芥をディスポーザによって順次、粉砕、処理することが可能で、厨芥処理の確実性、信頼性に優れる。
（２）補助シンク部がシンク部と独立して形成されているので、シンク部に大量の厨芥が投入されても、補助シンク部に厨芥が入り込むことがなく、補助シンク部に接続された予備給水管から確実に給水を行うことができ、給水の確実性に優れる。
（３）予備給水管の一端が補助シンク部の底部に接続されており、補助給水部から補助シンク部に給水された水が予備給水管を自然に流下してディスポーザの排出口とポンプを連結する排出管に供給されるので、ディスポーザや排出管から給水側へ汚水が逆流することがなく、バキュームブレーカー等の逆流防止機構を必要とせず、構成を簡素化することができ、省スペース性、設置自在性、作業性、メンテナンス性に優れる。
（４）シンク部及び補助シンク部に形成されたオーバーフロー排水部を有するので、ディスポーザやポンプが停止して、給水部及び補助給水部から供給される水が消費されなくなっても、シンク部及び補助シンク部に溜まった一定水位以上の水をオーバーフロー排水部から確実に排水することができ、水がシンク部及び補助シンク部から周囲に溢れ出すことがなく、取扱い性に優れる。
【産業上の利用可能性】
【００２７】
本考案は、厨芥処理時に大量の厨芥が投入されても、ディスポーザの処理室等に確実に給水することができ、給水不足が発生することがなく、ディスポーザによって効率的に厨芥を粉砕し、配管の詰まりを発生させることなく、粉砕された厨芥をポンプで確実に搬送することができ、厨芥処理の確実性、信頼性に優れると共に、バキュームブレーカー等の逆流防止機構を用いなくても、ディスポーザやその下流の配管から給水側へ汚水が逆流することがなく、構成を簡素化することができ、省スペース性、設置自在性、メンテナンス性に優れる厨芥処理装置の提供を行うことができ、ディスポーザを用いた厨芥処理システムの普及を図ることができる。
【符号の説明】
【００２８】
１，１Ａ  厨芥処理装置
２  筐体
３  シンク部
３ａ  厨芥投入口
４  仕切
５，５Ａ  補助シンク部
５ａ  底部
６，６Ａ  予備給水管
７  給水部
７ａ  吐水口
７ｂ  給水配管
７ｃ  オーバーフロー排水部
８  補助給水部
８ａ  吐水口
８ｂ  補助給水配管
８ｃ  オーバーフロー排水部
９ａ  電磁弁
９ｂ  止水弁
１０  ディスポーザ
１０ａ  投入口
１１  処理室
１１ａ  予備給水口
１２  ハンマー部
１３  排出口
１４  底面
１５  排出管
２０  ポンプ
３０  給水源
【図１】
0003209879.tif 000003
【図２】
0003209879.tif 000004
【図３】
0003209879.tif 000005